(57)【要約】【課題】ヘッドライトの照射ビームを測定する場合にハレーションを影響を排除する。【解決手段】ヘッドライトテスタ１０の撮像システムは、集光レンズ１１からの照射ビームを結像させるスクリーン１４を有しており、スクリーン１４の少なくとも背面はつや消し処理されており、ＣＣＤカメラ１６によって背面側から照射ビームＩの撮像データを採取する。【選択図】      図２
2005009990.tif 000002
【特許請求の範囲】
【請求項１】
ヘッドライトテスタ用撮像システムにおいて、
ヘッドライトからの照射ビームを受光する集光レンズ、
前記集光レンズにより前記照射ビームを結像させる少なくとも部分的に透明性であり且つその背面を少なくとも部分的につや消し処理したスクリーン、
前記スクリーン上に結像された前記照射ビームの画像を前記スクリーンの背面側から撮像する撮像装置、
を有していることを特徴とするヘッドライトテスタ用撮像システム。
【請求項２】
請求項１において、前記照射ビームが結像される前記スクリーンの部分に対応する背面側の部分が少なくともつや消し処理されていることを特徴とするヘッドライトテスタ用撮像システム。
【請求項３】
請求項１又は２において、前記スクリーンがガラス板であり、前記ガラス板の背面の少なくとも所定区域がすりガラスとされていることを特徴とするヘッドライトテスタ用撮像システム。
【請求項４】
請求項１又は２において、前記スクリーンが樹脂製板であり、前記樹脂製板の背面の少なくとも所定区域がマット処理されていることを特徴とするヘッドライトテスタ用撮像システム。
【請求項５】
請求項１又は２において、前記つや消し処理が前記スクリーンの前記背面側部分につや消し塗装を施すことにより処理されていることを特徴とするヘッドライトテスタ用撮像システム。
【請求項６】
請求項１乃至５の内のいずれか１項において、前記撮像装置がＣＣＤカメラを包含していることを特徴とするヘッドライトテスタ用撮像システム。
【請求項７】
請求項１乃至６の内のいずれか１項において、前記集光レンズがフレネルレンズであることを特徴とするヘッドライトテスタ用撮像システム。
【発明の詳細な説明】
【０００１】
【発明の属する技術分野】
本発明は、大略、ヘッドライトテスタに関するものであって、更に詳細には、ヘッドライトテスタに使用されるヘッドライトの照射ビームを測定するために該照射ビームの画像を撮像する撮像システムに関するものである。
【０００２】
【従来の技術】
ヘッドライトテスタは、自動車等の乗り物のヘッドライトから照射される照射ビームの状態を検査するために、該照射ビームを測定する測定光学系を有している。この様な測定光学系を具備するヘッドライトテスタの従来技術の１例を図１に示してある。即ち、ヘッドライトテスタ１は、大略箱型のハウジング６を有しており、ハウジング６の前方開口部にはフレネルレンズ３が設けられている。ヘッドライトテスタ１の前方の所定位置に位置されているヘッドライト２からの照射ビームＩは、フレネルレンズ３によりハウジング６内に位置されているスクリーン４上に結像される。スクリーン４上に結像された照射ビームＩの画像は、ハウジング６内においてスクリーン４の前方の所定の位置に位置されているＣＣＤカメラ５によって撮像される。そして、ＣＣＤカメラ５からの画像データは、例えばＣＰＵ等から構成される画像処理装置（不図示）へ送られて画像解析が行われ、照射ビームＩの状態を判定する。この様な画像処理装置は、ヘッドライトテスタ１に設けることが可能であるが、ヘッドライトテスタ１に接続した別体の装置とすることも可能である。
【０００３】
尚、図１に示した従来例では、ＣＣＤカメラ５は、スクリーン４の前方斜め上方に位置されているが、別の従来例としては、ＣＣＤカメラ５をスクリーン４の前方斜め下方の位置（即ち、照射ビームＩの光軸に関して上下対称の位置）に位置させることも可能である。
【０００４】
上述した如き従来のヘッドライトテスタにおける撮像システムにおいては、ＣＣＤカメラ５がスクリーン４の前方に配置されており、スクリーン４上に結像された照射ビームＩの配光状態を撮像するものであるが、照射ビームＩの照度は通常比較的高いものであるから、そのハレーションによりＣＣＤカメラ５によって得られる撮像データは必ずしも信頼性の高いものではなく、スクリーン４上に結像された照射ビームＩの画像を正確に撮像する上で困難性が存在していた。
【０００５】
更に、ヘッドライトテスタ１のハウジング６には、通常、オペレータが目視で確認するための外部スクリーン７が装着されており、スクリーン４上から反射光学系を介して外部スクリーン７上に照射ビームＩの画像を形成させる。従って、外部スクリーン７上に形成される画像が十分な明るさのものであるためには、スクリーン４の前面は比較的反射率の高いものであることが要求され、そのことは、スクリーン４により反射された照射ビームＩはハレーションが大きいものとなる傾向となり、そのことはＣＣＤカメラ５による撮像操作を困難なものとする傾向としている。
【０００６】
【発明が解決しようとする課題】
本発明は、以上の点に鑑みなされたものであって、上述した如き従来技術の欠点を解消し、改良したヘッドライトテスタ用の撮像システムを提供することを目的とする。本発明の別の目的とするところは、ヘッドライトからの照射ビームのハレーションにより影響を減少させるか又は略除去したヘッドライトテスタ用の撮像システムを提供することを目的とする。
【０００７】
【課題を解決するための手段】
本発明によれば、ヘッドライトテスタ用撮像システムにおいて、
ヘッドライトからの照射ビームを受光する集光レンズ、
前記集光レンズにより前記照射ビームを結像させる少なくとも部分的に透明性であり且つその背面を少なくとも部分的につや消し処理したスクリーン、
前記スクリーン上に結像された前記照射ビームの画像を前記スクリーンの背面側から撮像する撮像装置、
を有していることを特徴とするヘッドライトテスタ用撮像システムが提供される。
【０００８】
好適には、前記照射ビームが結像される前記スクリーンの部分に対応する背面側の部分が少なくともつや消し処理されている。
【０００９】
更に好適には、前記スクリーンがガラス板であり、前記ガラス板の背面の少なくとも所定区域がすりガラスとされている。
【００１０】
更に好適には、前記スクリーンが樹脂製板であり、前記樹脂製板の背面の少なくとも所定区域がマット処理されている。
【００１１】
更に好適には、前記つや消し処理が前記スクリーンの前記背面側部分につや消し塗装を施すことにより処理されている。
【００１２】
更に好適には、前記撮像装置がＣＣＤカメラを包含している。更に好適には、前記集光レンズがフレネルレンズである。
【００１３】
【発明の実施の態様】
本発明の１実施例に基づく撮像システムを組み込んだヘッドライトテスタ１０を図２に示してある。即ち、ヘッドライトテスタ１０は、大略箱型のハウジング１７を有しており、その前方開口部には、フレネルレンズ等の集光レンズ１１が装着されている。集光レンズ１１は、ヘッドライトテスタ１０の前方所定の位置に位置されている自動車等の乗り物用のヘッドライト２から照射された照射ビームＩを受光すべく位置されている。従って、ヘッドライトテスタ１０は、その前方に位置されている自動車に対して左右方向に移動可能であり、且つ上下方向に移動可能に支持されており、ヘッドライト２の光軸と集光レンズ１１の光軸とが整合するようにヘッドライトテスタ１０を上下左右方向に移動させ所定の位置にロックさせることが可能な支持装置に装着されている。更に、この様な支持装置は、ヘッドライトテスタ１０をヘッドライト２に対して近接及び離隔して位置させるべく前後方向にも移動可能に支持する構成とすることも可能である。
【００１４】
集光レンズ１１によって照射ビームＩはハーフミラー１２を介してスクリーン１４上に結像される。従って、スクリーン１４は、集光レンズ１１から照射ビームＩを結像させることが可能な距離に位置されている。スクリーン１１は集光レンズ１１の光軸１８に対して略垂直に位置されており、スクリーン１１の前方には光軸１８に対して所定の角度で傾斜されているハーフミラー１２が配設されている。ハーフミラー１２は、集光レンズ１１からの照射ビームＩの一部を反射させて外部スクリーン１３上に像を形成し、オペレータが目視によって照射ビームＩを確認することが可能な構成となっている。
【００１５】
一方、ハーフスクリーン１２を透過した照射ビームＩの残部はスクリーン１４の前面上に照射ビームＩを結像する。スクリーン１４は少なくとも部分的に透明な物質から構成されており、且つ少なくともその背面側はつや消し処理が施されている。例えば、スクリーン１４がガラス板から構成されている場合には、その背面側はすりガラス（例えば、サンドブラスティング処理により）とすることが可能である。一方、スクリーン１４が樹脂から板状に構成されている場合には、その背面側はマット処理を施すことによりつや消し処理を施すことが可能である。更に、スクリーン１４が、例えば、ガラス、樹脂又はその他の適宜の少なくとも部分的に透明な物質から板状に形成されている場合には、その背面側に大小の異なる粒径の塗料を付与することによりつや消し塗装を施してつや消し処理を行うことが可能である。更に、別の実施例としては、スクリーン１４の両側につや消し処理を施すことが可能である。尚、スクリーン１４につや消し処理を施す場合には、例えば、その背面の全部ではなく、照射ビームＩが結像される所定の区域のみに施す構成とすることも可能である。
【００１６】
図２に示した実施例においては、スクリーン４の背面側の後方の所定の位置に反射ミラー１５が光軸１８に対して約４５度の角度で配置されており、更に、反射ミラー１５の上方にはＣＣＤカメラ等の撮像装置１６が配設されている。従って、撮像装置１６は、スクリーン１４の背面側からすクリーン１４上に結像された照射ビームＩを撮像することが可能である。尚、撮像装置１６がスクリーン１４の後方で光軸１８上に整合して配設される場合には、反射ミラー１５を除去することが可能である。
【００１７】
撮像装置１６によって採取された撮像データは、例えば、ヘッドライトテスタ１０に設けられているＣＰＵ等から構成される画像処理装置（不図示）へ供給され、画像処理装置は撮像データを画像処理して、照射ビームＩの状態を判定することが可能である。尚、この様な画像処理装置は、ヘッドライトテスタ１０に設ける代わりに別体の構成とし、ヘッドライトテスタ１０から配線を介して画像データを受取ることも可能である。
【００１８】
この様に、図２に示した実施例においては、スクリーン１４の少なくとも背面側の所定区域（例えば、照射ビームＩが結像される区域）をつや消し処理した区域としたので、撮像装置１６がスクリーン１４上に結像されている画像を採取する場合にハレーションの影響を受けることを回避するか又は減少させることが可能である。特に、ヘッドライト２には多様な種類があり且つ種々の光度のものがあるが、本発明によれば、スクリーン４の少なくとも背面側の所定区域がつや消し処理されているので、ハレーションによって略影響されること無しに正確に且つ信頼性をもって撮像処理を行うことが可能である。
【００１９】
更に、撮像装置１６がシャッター構造を有する場合には、そのシャッター速度を変化させて照射ビームＩの照度変化に付随的に対応させることが可能である。更に、撮像装置１６が絞り機構を有する場合には、絞り機構を適宜調整することにより照射ビームＩの照度変化に付随的に対応させることが可能である。
【００２０】
図３に示した実施例は、図２の実施例の変形例であって、２枚のスクリーン１４を光軸１８に沿って並列に配置させたものである。この場合に、少なくとも一方のスクリーン１４を着脱自在の構成とすることが望ましい。そうすることにより、検査すべきヘッドライト２からの照射ビームＩの照度が高い場合には、２枚のスクリーン１４を使用し、一方、照射ビームＩの照度がそれ程高くない場合には、１枚のスクリーン１４のみを使用することが可能となり、ヘッドライト２の照射ビームＩの照度が大きく変化する場合においても、適宜対処することが可能となる。従って、図３の実施例の更なる変形として、所望の数のスクリーン１４を光軸１８に沿って配設することが可能であり、且つその内の任意の数がスクリーン１４を着脱自在な構成とすることが可能である。
【００２１】
尚、撮像装置１６としては、ＣＣＤカメラを使用することが望ましいが、ＣＣＤカメラと同等の機能を有するその他のカメラを使用することも可能である。
【００２２】
【発明の効果】
本発明によれば、ヘッドライトの照射ビームの照度が高い場合であっても正確に且つ信頼性をもって照射ビームを撮像データを採取することが可能である。更に、本発明によれば、構成が比較的簡単であり且つ大きな寸法の設置空間を必要とすること無しにヘッドライトテスタの性能を向上させることが可能である。
【図面の簡単な説明】
【図１】従来例のヘッドライトテスタを示した概略図。
【図２】本発明の１実施例に基づく撮像システムを組み込んだヘッドライトテスタを示した概略図。
【図３】本発明の変形例を示した概略図。
【図１】
2005009990.tif 000003
【図２】
2005009990.tif 000004
【図３】
2005009990.tif 000005